(57)【特許請求の範囲】
【請求項１】
ポリマー碍子と該ポリマー碍子の両端に設けた端末金具と、該端末金具に固定されたシールドリングとからなるポリマー碍子装置において、前記ポリマー碍子と端末金具との少なくとも下端の接合部付近を、底部に水抜き機構を有する防塵用カバーで覆ってなることを特徴とするポリマー碍子装置。
【請求項２】
前記防塵用カバーがシールドリングに取り付けられていることを特徴とする請求項１に記載のポリマー碍子装置。
【請求項３】
前記防塵用カバーが端末金具に取り付けられていることを特徴とする請求項１にポリマー碍子装置。
【発明の詳細な説明】
【０００１】
【発明の属する技術分野】
本発明はポリマー碍子装置に関し、特に高電界下で使用されるポリマー碍子の劣化を防止するものである。
【０００２】
【従来の技術】
従来送電線の相間短絡を防止する相間スペーサ等は絶縁耐力、耐候性、機械的強度の優れている磁器製の碍子が用いられていたが、この磁器製碍子は重量が大きいという難点があり、最近はこれらの磁器製碍子に代わって、軽量なポリマーで形成したポリマー碍子が使用されるようになってきている。
【０００３】
図４は従来のポリマー碍子装置の一例を示す図で、１はポリマー碍子で、該ポリマー碍子は、例えばシリコーンゴム、エチレン−プロピレン−ジエン共重合体等の樹脂で成形されている。なお、図中２はポリマー碍子の傘部分を示している。４はポリマー碍子１の両端に取り付けた端末金具で、該端末金具４の基部はポリマー碍子１を成形するときに碍子１に埋め込んで一体に取り付けられ、先端側には電線をクランプする電線クランプ１０を取り付けるためのフランジ９が設けられ、該フランジ９に電線クランプ１０が取り付けられている。
【０００４】
ところで、ポリマー碍子装置は、軽量であるために施工性がよく、また軽量なため送電線に取り付けても電線に大きな加重を負荷しないので、該ポリマー碍子装置を送電線に取り付けても弛度張力に与える影響が少ない、という利点がある。しかしながら、絶縁体である碍子１と導電体である端末金具４との接合部７付近では電気傾度が高くなり、この電位傾度が高い状態ではポリマー碍子１に有機材料特有のシンチレーション等による劣化現象であるエロージョン、トラッキング、コロナカッティング等が発生して急速に劣化が進行し、ポリマー碍子の絶縁強度を低下させるという問題が生じる。
そこで電気傾度が高くなる、即ち電界が集中する部分のポリマー碍子１の劣化を防ぐために、ポリマー碍子１と端末金具４との接合部７付近にシールドリング６を取り付けて電界を緩和し、有機材料（ポリマー碍子）特有の劣化現象の発生を抑制するようにしている。
【０００５】
このシールドリング６はアルミ、鉄等の金属製中空パイプで円形に成形し、あるいは該中空パイプを半円形に成形してこれを円環状になるように組み合わせて組み立てる２つ割りのものが使用されている。これらのシールドリング６には円周方向に所定間隔で取付杆５が設けられ、該取付杆５の他端を端末金具４のフランジ部９にボルト１１・ナット１２で固定することによりポリマー碍子と端末金具の接合点近傍に取り付けられ、接合点近傍の電界集中を緩和している。
【０００６】
【発明が解決しようとする課題】
しかし、上述したようにポリマー碍子１と端末金具４の接合点近傍に電界集中を緩和するシールドリング６を設けても、ポリマー碍子１と端末金具４との接合部７並びにその近傍（以下接合部近傍７という）が汚損されるとその部分に漏れ電流が集中して、絶縁破壊の原因となり、また、ポリマー碍子１の劣化に伴って汚損物質の付着量が多くなり耐電圧が低下してしまうという問題があった。
【０００７】
本発明は上記の問題を解決するためになされたもので、大気中の汚損物質が電界の厳しいポリマー碍子１と端末金具４との接合部近傍７に付着するのを防止したポリマー碍子装置を提供するものである。
【０００８】
【課題を解決するための手段】
すなわち、本発明においては、ポリマー碍子と該ポリマー碍子の両端に設けた端末金具と、該端末金具に固定されたシールドリングとからなるポリマー碍子装置において、前記ポリマー碍子と端末金具との少なくとも下端の接合部付近を、底部に水抜き機構を有する防塵用カバーで覆ってなることを特徴とするポリマー碍子装置が提供される。本発明における前記防塵用カバーはシールドリングに取り付けるか、端末金具に取り付けてもよい。
【０００９】
本発明のポリマー碍子装置は、シールドリングまたはポリマー碍子の先端に設けた端末金具に防塵用カバーを設け、該カバーでポリマー碍子と端末金具の接合部付近をカバーし、地上から吹き付けられたり、上空から降り積もるほこりなど空気中を浮遊する汚損物質（塵埃）がポリマー碍子と端末金具との接合部近傍に付着しにくい構造としたことにより、ポリマー碍子の劣化を抑制することができるものである。
【００１０】
【発明の実施の形態】
本発明を図示した実施形態につき説明する。
図１乃至図３は本発明の第１乃至第３の実施形態で、図４と同一部分には同一の符号を付して詳細な説明は省略する。
図１は本発明の第１の実施形態で、図１（イ）はポリマー碍子装置の下側部分を示したもので、ポリマー碍子装置のシールドリング６には防塵用カバー３０が取付けられている。図１（ロ）は防塵用カバー３０の平面図で、該防塵用カバー３０はシールドリング６に設けた取付杆５に沿った形状、即ち裁頭円錐形状に形成されており、裁頭部分は内側に直角に折り返えされ、ボルト挿通孔１１が設けられている。
【００１１】
図１に示す防塵用カバー３０をポリマー碍子装置に取り付けるには、２つ割りのシールドリング６に設けた取付杆５の先端に設けたボルト貫通孔をフランジ９のボルト貫通孔に合わせ、次いで、防塵用カバーをフランジ９の外側から取付杆５に沿って被せてカバーのボルト１１の貫通孔をフランジ９のボルト貫通孔に合わせ、最後に電線クランプ１０のボルト貫通孔を合わせて全体をボルト１１・ナット１２で締めつけて、取付けを完了する。
なお、図中３１は水抜き孔である。該水抜き孔３１は防塵用カバー３０をポリマー碍子の下側に取り付けた場合、雨水などが貯まらないようにするためのものである。
上記防塵用カバー３０は耐候性に優れたプラスチック等で形成してもよく、また、雨水が溜まらないようにメッシュ状の金属で作製してもよく、これらの組み合わせでもよい。
【００１２】
図２は本発明の第２の実施形態を示すもので、（イ）は防塵用カバー３３をポリマー碍子装置に取り付けた状態を、（ロ）は防塵用カバー３３の平面図を示している。本実施形態の特徴点は、防塵用カバー３３を２つ割りとした点である。このように防塵用カバー３３を２つ割りにすることにより、シールドリング６の取付杆５の先端に設けたボルト貫通孔と防塵用カバーのボルト貫通孔とを合わせた後にフランジ９に取り付けることも可能となり、また、シールドリング６の取付杆５の内側に配置することも可能となる。
この防塵用カバー３３は２つ割りとなっているために、その合わせ目にできる隙間から水が抜けるので、改めて水抜き孔を設ける必要はない。
【００１３】
図３は本発明の第３の実施形態を示すもので、（イ）はポリマー碍子装置の下側部分を示し、（ロ）はシールドリング６から下方を見た図である。本実施形態の特徴点は、防塵用カバー３５が２つ割りになっており、その先端開口部はシールドリング６の内側に入れ込む大きさになっており、防塵用カバー３５の裁頭部には端末金具４を挟み込んでカバー３５を端末金具４本体に取り付けるフランジ構造３７となっている点である。
該防塵用カバー３５も２つ割りとなっているためにその合わせ目にできる隙間から水が抜けるようになっている。
【００１４】
図１、図２に示した防塵用カバー３０または３３はポリマー碍子本体にシールドリング６の取付杆部５と一緒に端末金具４のフランジ部９にボルト１１・ナット１２で固定するように構成されているため、ボルト１１・ナット１２の締めつけに特殊な工具を必要とする場合があるが、図３の防塵用カバー３５は端末金具４に取り付ける構造となっているため、シールドリング６をポリマー碍子１に取り付ける前に防塵用カバー３５を端末金具４に取付け、その後にシールドリング６を取付けられるので、現場における作業性が優れている利点がある。
【００１５】
図１乃至図３に示す本発明のポリマー碍子装置では、端末金具とポリマー碍子との接合部近傍に防塵用カバーが設けられているので、地上から吹き上げられ、または空中を浮遊する汚損物質の付着が減少され、高電界下でのポリマー碍子の劣化が抑制される。
なお、上記実施形態の説明では、ポリマー碍子の下側に防塵用カバーを装着する例につき詳述したが、必要によりポリマー碍子の上側にも防塵用カバーを設けてもよく、また、上側のみに設けることもでき、ポリマー碍子装置の設置場所等により適宜選択して取り付ければよい。
また、上側となる端末金具とポリマー碍子との接合部近傍に取り付ける防塵用カバーには水抜き孔を形成する必要は必ずしもない。
【００１６】
【発明の効果】
本発明のポリマー碍子は、電位傾度が高くなる端末金具とポリマー碍子との接合部近傍に付着する汚損物質（塵埃）を大幅に減少することができるので従来の防塵用カバーを設けていないポリマー碍子装置を用いた場合に比べて高電界下でのポリマー碍子の劣化を抑制することができる。また、防塵用カバーの底部に水抜き機構を有することで、防塵用カバーをポリマー碍子の下側に取り付けた場合、雨水などが貯まらないようにすることができる。
【図面の簡単な説明】
【図１】本発明の第１の実施形態を示す説明図である。
【図２】本発明の第２の実施形態を示す説明図である。
【図３】本発明の第３の実施形態を示す説明図である。
【図４】従来のポリマー碍子装置の説明図である。
【符号の説明】
１  ポリマー碍子
２  笠部
４  端末金具
５  取付杆
６  シールドリング
９  フランジ部
１０  電線クランプ
１１  ボルト・ナット
３０  防塵用カバー
３３  防塵用カバー
３５  防塵用カバー
【図１】
0004086995.tif 000002
【図２】
0004086995.tif 000003
【図３】
0004086995.tif 000004
【図４】
0004086995.tif 000005